(57)【要約】【課題】絶縁モジュールを備える乾式変圧器が開示される。【解決手段】例示の絶縁モジュールは、誘電体スクリーン及び支持ブロックを備える。支持ブロックは、変圧器の巻線の上で誘電体スクリーンを支持する。誘電体スクリーンは、変圧器の第１と第２の巻線の間に配置された対応する円筒形バリアによって画定された空間内に適応するように構成された第１の実質的に均一な部分と、第１の部分に対して及び変圧器の第１の巻線に対して垂直であり、第１の部分から外側に及び支持ブロックを超えて延在する第２の実質的に均一な部分と、を有する。誘電体スクリーンは、巻線の周囲に部分的に延在する。【選択図】図１【特許請求の範囲】
【請求項１】
乾式変圧器であって、
少なくとも第１の巻線と、
少なくとも第２の巻線と、
前記少なくとも第１と第２との巻線の間の円筒形バリアと、
１つ以上の絶縁モジュールと、を備え、
各絶縁モジュールは、誘電体スクリーン及び支持ブロックを備え、
前記支持ブロックは、前記変圧器の前記第１の巻線の上で前記誘電体スクリーンを支持するためのものであり、
前記誘電体スクリーンは、前記第２の巻線の周囲に部分的に延在し、前記変圧器の前記第１と第２の巻線の間に配置された対応する円筒形バリアによって画定された空間内に適応するように構成された第１の実質的に均一な部分と、前記第１の部分に対して及び前記変圧器の前記第１の巻線に対して垂直であり、前記第１の部分から外側に及び前記支持ブロックを超えて延在する第２の実質的に均一な部分と、を有する、乾式変圧器。
【請求項２】
前記第２の部分は、前記支持ブロックの接続部分を受け取るための開口を備える、請求項１に記載の乾式変圧器。
【請求項３】
複数の円筒形バリアを備え、
各絶縁モジュールは、複数の誘電体スクリーンを備え、
各誘電体スクリーンは、それぞれ、前記変圧器の異なる円筒形バリアと共に配置するように構成される、請求項１又は２に記載の乾式変圧器。
【請求項４】
前記第１の部分と前記第２の部分との間の周縁で屈曲した、柔軟な誘電体スクリーンを備える、請求項１から３のいずれか一項に記載の乾式変圧器。
【請求項５】
前記第１の部分は、前記対応する円筒形バリアの湾曲に一致するような湾曲を有する、請求項１から４のいずれか一項に記載の乾式変圧器。
【請求項６】
単一片を備え、
前記誘電体スクリーンは、第１の誘電体材料で作られ、
前記支持ブロックは、第２の誘電体材料で作られる、請求項１から５のいずれか一項に記載の乾式変圧器。
【請求項７】
前記誘電体スクリーン及び／又は前記支持ブロックは、樹脂で作られる、請求項１から６のいずれか一項に記載の乾式変圧器。
【請求項８】
各誘電体スクリーンは、１つ以上の絶縁層を備える、請求項１から７のいずれか一項に記載の乾式変圧器。
【請求項９】
前記支持ブロックから半径方向外側に向かって延在する水平シェッドを更に備える、請求項１から８のいずれか一項に記載の乾式変圧器。
【請求項１０】
前記誘電体スクリーンの少なくとも前記第１又は前記第２の部分は、前記対応する円筒形バリアに沿って前記第２の巻線の周囲に部分的に延在する、請求項１から９のいずれか一項に記載の乾式変圧器。
【請求項１１】
前記支持ブロックは積み重ねられ、連結された支持ブロック間に前記第２の部分が交互配置される、請求項１から１０のいずれか一項に記載の乾式変圧器。
【請求項１２】
前記第１の巻線は、ＬＶ巻線であり、
前記第２の巻線は、ＨＶ巻線である、請求項１から１１のいずれか一項に記載の乾式変圧器。
【請求項１３】
少なくとも１つのブロックが前記円筒形バリアの上に延在し、前記変圧器のＬＶ巻線上に存在する部分を備える、請求項１２に記載の乾式変圧器。
【請求項１４】
前記絶縁モジュールは、カラーを更に備える、請求項１から１３のいずれか一項に記載の乾式変圧器。
【請求項１５】
前記カラーは、前記誘電体スクリーンの頂部上に存在する、請求項１４に記載の乾式変圧器。
【請求項１６】
複数の巻線を備え、
絶縁モジュールのセットが連続する巻線間に配置される、請求項１から１５のいずれか一項に記載の乾式変圧器。
【発明の詳細な説明】
【技術分野】
【０００１】
本願は、２０１７年５月３１日出願の欧州出願第１７３８２３２１号の利益及び優先権を主張する。
【０００２】
本開示は変圧器に関し、より具体的には変圧器の電気絶縁に関する。
【背景技術】
【０００３】
周知のように、変圧器は１つの電圧レベルを別の電圧レベルに変換し、電圧レベルはどちらかがより高いか又はより低い値である。変圧器は第１のコイル及び第２のコイルを使用してこの電圧変換を達成し、各々のコイルは強磁性コアの周囲に巻き付けられ、多くの巻数の導電体を含む。第１のコイルは電圧源に接続され、第２のコイルは負荷に接続される。１次コイル内の巻数の２次コイル内の巻数に対する比（「巻数比））は、源の電圧の負荷の電圧に対する比と同じである。
【０００４】
他のタイプの変圧器も周知であり、多巻線変圧器と呼ばれる。こうした変圧器は、直列又は並列に接続されるか、あるいは変圧器の所望の機能に個別に依存する、複数の巻線を使用する。
【０００５】
電圧下の２つの部分、例えば第１のコイル及び第２のコイルを絶縁するために、絶縁バリアが使用されることがある。絶縁バリアは電圧下の部分間に配置され、電界に直角である。したがって、絶縁バリアを含めることによって、支持可能な電界（及び、したがって電圧）を増加させる。エアの合計空間が最小のセクションに分割される場合、コイル間の所与の距離のエアは、より大きな電圧に耐えられる可能性がある。この手法は、高電圧（ＨＶ）巻線と低電圧（ＬＶ）巻線との間に絶縁バリアを含めることによって、乾式変圧器の絶縁に適用される。絶縁バリアは、それらの巻線間のエアギャップを分割する。
【０００６】
別の例は、固体の絶縁コンポーネントが２つの部分を接続しているか、又はブリッジしている場合である。そこで、誘電的挙動を向上させるために、電界に直角に、そのコンポーネントに絶縁バリア又はシェッドを追加するのが一般的である。こうした例は、電気絶縁体に見ることができる。
【０００７】
更に別の例は、乾式変圧器においてコイルを支持するためにブロックを使用することである。ブロックは、電圧下でコイルを金属構造から分離して支持し、こうしたシェッドを含むことができる。
【発明の概要】
【発明が解決しようとする課題】
【０００８】
ある絶縁レベル（例えば、１２ｋＶ）より上の乾式変圧器の場合、ＨＶ巻線とＬＶ巻線との間に１つ以上の円筒形バリアを有することが一般的である。沿面距離を増加させるために、支持ブロック内に１つ以上の水平スクリーンを有することも一般的である。しかし、相対的に高い絶縁レベル（例えば、７２．５ｋＶ）の場合であっても、これらのバリア及びスクリーンは一体型要素を形成しない。
【０００９】
ある絶縁レベルより上の液体充填変圧器の場合、ＨＶ−ＬＶ円筒形バリアと一体化した水平スクリーン（角リング、カラー）の使用が一般的である。図１は、ＨＶ巻線１０５、ＬＶ巻線１１０、及びその間の円筒形バリア１１５を備える、液体充填変圧器１００を示す。角リング１２０は円筒形バリアを取り囲む一方で、支持ブロック１２５は分離し、ＨＶ巻線の上で角リングを支持する。セルロースは必要に応じて経済的に形状化可能であるため、角リング又はカラーを製造するために使用される。しかしながら、乾式変圧器の場合は、適切に働くために液体を含浸させなければならないため、有用ではない。また、機械的耐久性に乏しく、作業温度も低いため、適切ではない。乾式変圧器には他の材料（例えば、Ｎｏｍｅｘ（商標）又はポリエステル）が使用可能であるが、高価であり、及び／又は、形状化が困難である。また、それらを乾式変圧器に使用するには、機械的問題及び冷却問題も何らかの制約を加えている。実際のところ、液体充填変圧器の場合、角リング又はカラーは接線方向に３６０°延在し、巻線の外周全体をカバーしている。更に、支持ブロックは、最高電圧差（例えば、ＨＶ対ＬＶ、及びＨＶ対コア又はクランプ）を伴って要素をブリッジしているため、潜在的な弱点である。そのゾーン内での問題を回避するために、十分な隙間が維持されているが、支持ブロックを含み、カラー又は角リングのより複雑且つ費用の掛かるソリューションを回避する、絶縁におけるいずれの改良も、よりコンパクトなソリューションにつながる。
【課題を解決するための手段】
【００１０】
前述の問題を解決するために、柔軟なＬ型スクリーンを備える支持ブロックを有する絶縁モジュールが提案される。提案されるソリューションは、２つ以上の巻線とそれらの間の円筒形バリアとを備える変圧器にとって、また好ましくは、より高い絶縁レベル、例えば７２．５ｋＶ又は１２３ｋＶにとって、有用であり得る。提案されるソリューションは、削減されたコストで、実用的な絶縁ソリューションを提供する配置である。
【００１１】
第１の態様において、変圧器のための絶縁モジュールが開示される。絶縁モジュールは、誘電体スクリーン及び支持ブロックを備えることができる。支持ブロックは、変圧器の第１の巻線の上で、誘電体スクリーンを支持することができる。誘電体スクリーンは、変圧器の第１と第２の巻線の間に配置された対応する円筒形バリアによって画定された空間内に適応するように構成された第１の実質的に均一な部分と、第１の部分に対して及び変圧器の第１の巻線に対して垂直であり、第１の部分から外側に及び支持ブロックを超えて延在する第２の実質的に均一な部分と、を有することができる。
【００１２】
「均一」という用語は、本明細書では、平滑であり、表面の不規則性がないことを意味するために用いられる。いくつかの例では、第１及び／又は第２の部分は平坦且つ均一であり得るが、他の例では、第１及び／又は第２の部分は湾曲し且つ均一であり得る。「垂直」という用語は、本明細書では、第２の部分の平面が第１の部分と２つ以上の線で交差することを意味するために用いられる。好ましい実施形態において、第２の部分は第１の部分に対して直角であり得る。
【００１３】
支持ブロックと円筒形バリアとの間に誘電体スクリーンを提供することによって、支持ブロックの表面に沿った直接放電経路が遮断される。誘電体スクリーンはＬ型であり得、円筒形バリアにより良く適応するように柔軟であり得る。スクリーンは、以下の２つの異なる配置が可能である。
支持ブロックがエポキシ樹脂で作られる場合、スクリーンを鋳造の前に挿入可能である。これにより、十分な沿面距離を得ることができる。
支持ブロックが異なる切片から組み立てられる場合、スクリーンをそれらの間に配置可能である。２つの近接する支持ブロックは、それらの間に接続インターフェース、例えばホールピンインターフェースを使用して、結合可能である。
【００１４】
いくつかの例において、第２の部分は、支持ブロックの接続部分を受け取るための開口を備えることができる。次いで、支持ブロックを積み重ねて支持カラムを形成し、連結された支持ブロック間に第２の部分が交互配置される。開口は絶縁を遮断するため、できる限り小さく選択又は設計することが可能であり、十分な沿面距離を可能にするために、支持ブロックの断面の相対的に中央に配置することができる。
【００１５】
いくつかの例において、変圧器は複数の円筒形バリアを備えることができる。その後、絶縁モジュールは複数の誘電体スクリーンを備えることができる。各誘電体スクリーンは、それぞれが変圧器の異なる円筒形バリアと共に配置されるように構成可能である。円筒形バリアの高さは、外側巻線から内側巻線の方向に増加し得るために、これによって、支持ブロックカラムに沿ってＬ型スクリーンをより良好に分配すること、及び、変圧器の組み立て中に絶縁モジュールを累進的に追加していくことが、可能となり得る。したがって、様々な絶縁モジュールを備える絶縁モジュール構造が実装可能であり、これを変圧器の円筒形バリア構造と一体化することが可能である。
【００１６】
いくつかの例において、絶縁モジュールは、第１の部分と第２の部分との間の周縁で屈曲した、柔軟な誘電体スクリーンを備えることができる。これにより、円筒形バリア間に絶縁モジュールの第１の部分を挿入することがより容易になる。更に、第１の部分と第２の部分との間の長さを変更可能にし、すなわち、誘電体スクリーンは、それぞれの支持ブロックと円筒形バリアとの間の距離に従って、線に沿って湾曲可能となる。これにより、異なる距離の円筒形バリアについて、同じタイプの誘電体スクリーンが使用可能となる。
【００１７】
いくつかの例において、第１の部分は、対応する円筒形バリアの湾曲に一致するような湾曲を有することができる。湾曲は事前に確立可能であるか、又は、誘電体スクリーンが柔軟であると想定して、取付けの間に形成可能である。
【００１８】
いくつかの例において、絶縁モジュールは単一片の誘電体材料を備えることができる。単一片は誘電体スクリーン及び支持ブロックを備えることができる。
【００１９】
いくつかの例において、誘電体スクリーン及び／又は支持ブロックは樹脂で作ることができる。樹脂の使用により、絶縁モジュールに絶縁特性を与えることができる。
【００２０】
いくつかの例において、誘電体スクリーンは１つ以上の絶縁層を備えることができる。絶縁層の量は、より高い絶縁特性（層が多いほど高い絶縁性を与えることができる）及び／又はより高い柔軟性（層が少ないほど、結果としてより高い柔軟性を生じさせることができる）に関連付けることができる。層は部分的であってもよく、すなわち第１の部分は第２の部分とは異なる量の層を備えることができる。
【００２１】
いくつかの例において、絶縁モジュールは、支持ブロックから半径方向外側に向かって延在する水平シェッドを更に備えることができる。これにより、シェッドは支持ブロック表面に沿って沿面距離を増加させるため、ＨＶ巻線とヨーク及びクランプとの間の絶縁を向上させることができる。
【００２２】
いくつかの例において、誘電体スクリーンの少なくとも第１又は第２の部分は、対応する円筒形バリアに沿って、第２の巻線の周囲に部分的に延在可能である。いくつかの実装において、複数の絶縁モジュールを円筒の周囲に分配することができる。例えば、４つの絶縁モジュールを、各々が円筒形バリアの外周の４分の１をカバーするように、円筒形バリアの周囲に配置することができる。
【００２３】
いくつかの例において、少なくとも１つのブロックが円筒形バリアの上に延在し、変圧器の第２の巻線上に存在する部分を備える。これにより、変圧器構造全体の構造的完全性をより良くすることができる。
【００２４】
別の態様において、変圧器が開示される。変圧器は、本明細書に開示された例に従った、少なくとも第１の巻線、少なくとも第２の巻線、少なくとも第１と第２の巻線の間の円筒形バリア、及び絶縁モジュールを備えることができる。
【００２５】
いくつかの例において、変圧器は乾式変圧器とすることができ、第１の巻線はＬＶ巻線とすることができ、第２の巻線はＨＶ巻線とすることができる。
【００２６】
いくつかの例において、変圧器は複数の巻線を備えることができる。次いで、絶縁モジュールのセットは、連続する巻線間に配置することができる。
【００２７】
本開示の非限定的例を、添付の図面を参照しながら下記で説明する。
【図面の簡単な説明】
【００２８】
【図１】角リングを備える従来技術の変圧器を示す概略部分図である。
【図２Ａ】一例に従った、絶縁モジュールを示す斜視図である。
【図２Ｂ】一例に従った、絶縁モジュールを示す断面図である。
【図２Ｃ】一例に従ったマルチスクリーン絶縁モジュールを示す斜視図である。
【図３】一例に従った、絶縁モジュールを備える変圧器を示す概略部分図である。
【図４】一例に従った、絶縁モジュールを備える変圧器を示す概略断面図である。
【図５Ａ】一例に従った、１片に鋳造された絶縁モジュールを示す断面図である。
【図５Ｂ】一例に従った、絶縁モジュールを伴う変圧器部分を示す斜視図である。
【図６】一例に従った、１片に鋳造された絶縁モジュールを伴う変圧器を示す断面図である。
【発明を実施するための形態】
【００２９】
図２は、一例に従った絶縁モジュールの概略図である。絶縁モジュール２００は、スクリーン２０５及び支持ブロック２１０を備えることができる。スクリーンは、第１の部分２１５及び第２の部分２２０を備えることができる。第２の部分２２０は、第１の部分２１５の周縁から延在することができ、実質的に平坦であり、また第１の部分２１５に対して直角とすることができる。第１の部分２１５は、誘電体材料の１つ以上の層を備えることができ、変圧器の１つ以上の円筒形バリアによって画定された空間内に収まるように構成されたサイズ（厚み）を有することができる。こうした空間は、巻線と円筒形バリアとの間の空間、又は、２つの連続する円筒形バリアの間の空間とすることができる。
【００３０】
第２の部分２２０は開口を備えることができる。開口は、支持ブロック２１０の少なくとも一部をホストするように設計することができる。図２Ａ及び図２Ｂの例では、開口は円形とすることができ、支持ブロック２１０は、スクリーンの第２の部分２２０の開口に実質的に対応する開口又は陥凹部Ｒを伴う頂部を有することができる。図２Ｂに示されるように、陥凹部Ｒは、別の支持ブロック２１２の対応する突出部Ｐに一致するようにサイズを決定することができる。
【００３１】
図２Ａ及び図２Ｂの例は、第２の部分及び支持ブロックをどのように相互接続できるかの単なる一例である。他の例において、支持ブロックの頂部は突出部を備えることができ、別の支持ブロックは、突出部を受け取るために底部に陥凹部を備えることができる。更に他の例では、第２の部分及び支持ブロックを１片に鋳造することができる。更に他の例では、複数のスクリーン及び複数の支持ブロックを１片に鋳造することができる。したがって、開口及び／又は連結片は不要となる可能性がある。当業者であれば、他の構成も可能であることを理解されよう。
【００３２】
図２Ｃは、一例に従ったマルチスクリーン絶縁モジュールの斜視図である。絶縁モジュール２５０は、誘電体スクリーン２６０を伴う単一片の誘電体材料（例えば、エポキシ樹脂）の形の、支持ブロックカラム２５５を備えることができる。支持ブロックカラム２５５の下部は、変圧器の巻線上、例えばＨＶ巻線上に存在するように構成可能である。各スクリーンは、支持ブロックカラム２５５の鋳造の間に樹脂が流れることができるようにするための、１つ以上のホールを有し得、したがってすべての要素が単一片を形成する。各スクリーンは、支持ブロックカラム２５５に実質的に平行な第１の部分２６０Ａ、及び、支持ブロックカラム２５５を横切る（travers）第２の部分２６０Ｂを有し得る。この横切りは、支持ブロックカラムの軸に直角であり得る。第１の部分は、変圧器の円筒形バリア間の空間に適応するように構成又は形状化可能、例えば湾曲可能とすることができる。下部誘電体スクリーンから始まり、上方へ移動していくと、それぞれの誘電体スクリーンは支持ブロックカラム２５５から更に離れた円筒形バリアに対応することができるため、第２の部分２６０Ｂは累進的に長くなり得る。第２の部分は、支持ブロックのホールピンインターフェースを図２Ａ及び図２Ｂに示されるように係合可能にするために、中央ホールも備えることができる。
【００３３】
図３は、一例に従った絶縁モジュールを備える変圧器の概略部分図である。変圧器３００は乾式変圧器とすることができる。変圧器３００は、ＨＶ巻線３０５及びＬＶ巻線３１０を備えることができる。一連の円筒形バリア３１５は、ＨＶ巻線３０５とＬＶ巻線３１０との間に入れることができる。ＨＶ巻線の頂部に、絶縁モジュール３２０を配置することができる。絶縁モジュール３２０は、互いに積み重ねられた支持ブロック３２５及び柔軟なＬ型スクリーン３３０を備えることができる。各支持ブロック３２５は、スクリーン３３０を支持することができる。各スクリーン３３０は、円筒形バリアと共に配置することができる。底部から始まり上方に進んでいくと、第１のスクリーン３３０は、ＨＶ巻線とＬＶ巻線との間に第１の円筒形バリアと共に配置することができる。したがって、第１の（底部）支持ブロック３２５は、第１の（最下）スクリーン３３０を支持することができる。それにより、第２の支持ブロック３２５は第２のスクリーンを支持し得る、という具合である。第２のスクリーンの第２の部分は、スクリーンの第１の部分を第２の円筒形バリアと共に配置するように、第１の円筒形バリアの上に部分的に延在することができる。それにより、第３のスクリーンの第２の部分は、第３のスクリーンの第１の部分を第３の円筒形バリアと共に配置するように、第１及び第２の円筒形バリアの上に部分的に延在することができる。スクリーンが円筒形バリアと共にＬＶ巻線３１０に近付く方向に配置された場合、ＨＶ巻線とバリアとの間の距離は増加するため、第２の部分は変圧器の半径方向により長くなり得る。構造的支持を最大にするために、支持ブロックを最上スクリーンの頂面上に配置することが可能であり、最も内側の円筒形バリアを超えて延在すること、及び、ＬＶ巻線上で支持可能な第２のピラーを備えることが可能である。Ｌ型スクリーンは、絶縁特性を最大にするために、等電位線に対してほぼ平行に配置可能である。これを達成するために、第１の部分と第２の部分との間の周縁での屈曲半径は、ＨＶ巻線からの距離が増加するにつれて増加可能である。
【００３４】
図４は、一例に従った絶縁モジュールを備える変圧器の概略断面図である。図４の例では、ＨＶ巻線４０５とＬＶ巻線４１０との間に６つの円筒形バリアが配置される。ＨＶ巻線４０５とＬＶ巻線４１０との間に、絶縁モジュール４２０が配置される。絶縁モジュール４２０は、逆Ｌ型スクリーン４３０によって遮断される支持ブロック４２５のセットを備えることができる。図４の例では、３つのスクリーン４３０がそれぞれ、３つの円筒形バリアと共に配置されている。各スクリーン４３０は、それぞれ支持ブロック４２５によって支持される。最上スクリーン４３０の頂面上に、最も内側の円筒形バリアの上及びこれを超えて延在し、ＬＶ巻線上で支持されるように垂直に延在する、支持ブロックが配置され、したがって、絶縁モジュール４２０は逆ピラミッド型の脚を有するπ（ｐｉ）型とすることができる。
【００３５】
各支持ブロックは、図４に示されるように単一の要素を備えるか、又は、ＬＶ巻線のための１要素及びＨＶ巻線のための別の要素を備え、それらの間にいかなる機械的接続もないことが、可能である。後者は、その後の鋳造がより単純になるため、エポキシで作られた支持ブロックであることが好ましい。更に、いくつかの支持ブロックは、主となる支持ブロック構造から外側に向かって延在する水平シェッドを備えることができる。絶縁モジュールを、角リング又はカラーと組み合わせることも可能である。図４では、シェッド４３５が支持ブロックの間に入れられるため、変圧器の絶縁特性が最大になる。
【００３６】
図５Ａは、一例に従った、１片に鋳造された絶縁モジュールの断面図である。絶縁モジュール５００は、支持ブロックカラム５１０、一体化された誘電体スクリーン５２０、及びカラー５２５を備えることができる。支持ブロックカラム及び誘電体スクリーンは、１片に鋳造可能であり、例えばエポキシ樹脂で作成可能である。したがって、沿面を増加させるために、様々な突出部が支持ブロックから外側に向かって延在可能である。カラー５２５は、スクリーン５２０の頂部上に存在可能である。他の例では、誘電体スクリーンは、同じ鋳型を使用して鋳造すること、及び、樹脂で作ることも可能である。
【００３７】
図５Ｂは、一例に従った、絶縁モジュールを伴う変圧器部分の斜視図である。変圧器５５０は、絶縁モジュール５５５、巻線５６０、円筒形バリア５６５、及びカラー５７０を備えることができる。絶縁モジュール５５５は、支持ブロック５５７及び誘電体スクリーン５５９を備えることができる。誘電体スクリーン５５９は、支持ブロックカラムに平行な第１の部分を有すること、及び、円筒形バリア５６５間の空間に収まるように配置することが可能である。第２の部分は、第１の部分に対して垂直に、好ましくは直角であり得、支持ブロックカラムを横切ることが可能である。カラー５７０は、誘電体スクリーン５５９の第２の部分の頂部上に存在することができる。
【００３８】
図６は、一例に従った、１片に鋳造された絶縁モジュールを伴う変圧器の断面図である。変圧器６００は、第１の巻線６０５及び第２の巻線６５０を備える。第１の巻線６０５の頂部上に、絶縁モジュール６１０が存在可能である。より具体的には、絶縁モジュール６１０は、支持ブロックカラム６１５及び誘電体スクリーン６２０を備えることができる。円筒形バリアを、第１の巻線６０５と第２のバリア６５０との間に配置することができる。誘電体スクリーンの第１の部分は、円筒形バリア間の空間内に配置すること、円筒形バリアを置超えて延在すること、及び、第１の部分に対して垂直な、好ましくは直角な第２の部分と周縁で接続することが、可能である。第２の部分は、支持ブロックカラムを横切り、支持ブロックカラムを超えて延在することが可能である。カラー６２５は、誘電体スクリーン６２０の第２の部分の頂部上に存在可能である。
【００３９】
本明細書ではいくつかの例のみが開示されているが、他の代替、修正、用途、及び／又はそれらの等価物が可能である。更に、説明した例のすべての可能な組み合わせもカバーされている。したがって、本開示の範囲は、特定の例によって限定されるものではなく、下記の特許請求の範囲を公正に読むことによってのみ決定されるものとする。特許請求の範囲において、図面に関する参照記号が括弧で囲まれている場合、それらは単に特許請求の範囲の明瞭度を上げるための試みであって、特許請求の範囲を限定するものと解釈すべきではない。
【図１】
2020522140.tif 000002
【図２Ａ】
2020522140.tif 000003
【図２Ｂ】
2020522140.tif 000004
【図２Ｃ】
2020522140.tif 000005
【図３】
2020522140.tif 000006
【図４】
2020522140.tif 000007
【図５Ａ】
2020522140.tif 000008
【図５Ｂ】
2020522140.tif 000009
【図６】
2020522140.tif 000010
【国際調査報告】
2020522140.tif 000011
2020522140.tif 000012
2020522140.tif 000013